(57)【要約】【課題】複数の接点の開閉を行うことができ、かつ各接点で生じるジュール熱が放出されやすい電磁継電器ユニットを提供する。【解決手段】電磁継電器ユニット１は、第１接点装置２０１と第２接点装置２０２とを備える。第１接点装置２０１と第２接点装置２０２との各々は、固定接点２２を有する固定端子２１と、可動接点２５を有する可動接触子２４と、可動接触子２４を移動させる可動部３と、接点収容部４とを備える。接点収容部４は、固定接点２２と可動接点２５とを収容する。電磁石装置５は、可動部３を駆動させる。ハウジング９は、接点収容部４を収容する。熱伝導部材６は、ハウジング９の内面と第１接点装置２０１の接点収容部４との間にある第１空間８１と、ハウジング９の内面と第２接点装置２０２の接点収容部４との間にある第２空間８２とに配置されている。【選択図】図３
2020119741.tif 000002
【特許請求の範囲】
【請求項１】
第１接点装置と、第２接点装置と、電磁石装置と、ハウジングと、第１空間と、第２空間と、熱伝導部材とを備え、
前記第１接点装置と前記第２接点装置との各々は、
固定接点を有する固定端子と、
可動接点を有する可動接触子と、
前記可動接触子を、前記固定接点が前記可動接点と接触しない非接触位置と前記固定接点が前記可動接点と接触する接触位置との間で、前記固定端子に対して移動させる可動部と、
前記固定端子の前記固定接点と前記可動接点とを収容する接点収容部とを備え、
前記電磁石装置は、前記可動部を駆動させ、
前記ハウジングは、前記第１接点装置の前記接点収容部と前記第２接点装置の前記接点収容部とを収容し、
前記第１空間は、前記ハウジングの内面と前記第１接点装置の前記接点収容部との間にあり、
前記第２空間は、前記ハウジングの内面と前記第２接点装置の前記接点収容部との間にあり、
前記熱伝導部材は、前記第１空間と前記第２空間とに配置されている、
電磁継電器ユニット。
【請求項２】
前記第１接点装置の前記可動接触子が前記接触位置にあるときには、前記第２接点装置の前記可動接触子は前記非接触位置にあり、
前記第２接点装置の前記可動接触子が前記接触位置にあるときには、前記第１接点装置の前記可動接触子は前記非接触位置にある、
請求項１に記載の電磁継電器ユニット。
【請求項３】
前記第１接点装置は、電源と充電池との間の電路に接続され、
前記第２接点装置は、前記充電池と電動機との間の電路に接続されている、
請求項１又は２に記載の電磁継電器ユニット。
【請求項４】
前記第１空間と前記第２空間とは通じており、
前記熱伝導部材は、前記第１空間に配置される第１部分と、前記第２空間に配置されている、前記第１部分と連続的につながった第２部分とを有する、
請求項１から３のいずれか一項に記載の電磁継電器ユニット。
【請求項５】
前記ハウジングは、前記第１接点装置の前記接点収容部と、前記第２接点装置の前記接点収容部と、前記電磁石装置と、を収容し、
前記電磁継電器ユニットは、前記ハウジングと前記電磁石装置との間にある電磁石側空間を更に備え、
前記熱伝導部材は、前記第１空間と、前記第２空間と、前記電磁石側空間とに配置されている、
請求項１から４のいずれか一項に記載の電磁継電器ユニット。
【請求項６】
前記熱伝導部材は、樹脂製である、
請求項１から５のいずれか一項に記載の電磁継電器ユニット。
【請求項７】
シール材を更に備え、
前記ハウジングは、前記第１接点装置及び前記第２接点装置の各々の前記固定端子を外部に露出させ、
前記シール材は、前記ハウジングと前記固定端子との間で前記第１空間及び前記第２空間を前記ハウジングの外部から遮蔽する、
請求項１から６のいずれか一項に記載の電磁継電器ユニット。
【請求項８】
前記ハウジングは、前記ハウジングの外部と前記第１空間及び前記第２空間とを通じさせる通孔を有する、
請求項１から７のいずれか一項に記載の電磁継電器ユニット。
【請求項９】
シール材を更に備え、
前記ハウジングは、前記第１接点装置及び前記第２接点装置の各々の前記固定端子を外部に露出させる露出開口を、前記ハウジングにおける前記通孔とは反対側の端部に有し、
前記シール材は、前記露出開口を介して前記ハウジングの外部に通じないように、前記第１空間及び前記第２空間を前記ハウジングの外部から遮蔽する
請求項８に記載の電磁継電器ユニット。
【請求項１０】
前記ハウジングは、前記通孔を複数有する、
請求項８又は９に記載の電磁継電器ユニット。
【請求項１１】
前記ハウジングは、
開口を有し、前記第１接点装置及び前記第２接点装置の各々の前記接点収容部と前記電磁石装置とを収容する収容部と、
前記開口の少なくとも一部を閉塞するように前記収容部に取り付けられた閉塞部とを有する、
請求項１から１０のいずれか一項に記載の電磁継電器ユニット。
【請求項１２】
前記開口は、前記電磁石装置に対して前記第１接点装置及び前記第２接点装置の各々の前記接点収容部とは反対側の位置にあり、前記電磁石装置と前記接点収容部とは前記開口の開口面と直交する方向に沿って並んでいる、
請求項１１に記載の電磁継電器ユニット。
【請求項１３】
前記ハウジングは、前記閉塞部を貫通し、前記ハウジングの外部と前記第１空間及び前記第２空間とを通じさせる通孔を有する、
請求項１１又は１２に記載の電磁継電器ユニット。
【請求項１４】
前記第１接点装置及び前記第２接点装置の各々で、前記固定端子は、第１固定端子と第２固定端子とを含み、
前記固定接点は、前記第１固定端子の有する第１固定接点と、前記第２固定端子の有する第２固定接点とを含み、
前記可動接点は、第１可動接点と第２可動接点とを含み、
前記非接触位置では前記第１固定接点と前記第２固定接点との各々が前記第１可動接点と前記第２可動接点とにそれぞれ接触せず、前記接触位置では前記第１固定接点と前記第２固定接点とが前記第１可動接点と前記第２可動接点とにそれぞれ接触し、
前記可動部は、前記可動接触子を、前記非接触位置と前記接触位置との間で、前記固定端子に対して一方向に移動させる、
請求項１から１３のいずれか一項に記載の電磁継電器ユニット。
【請求項１５】
請求項１から１４のいずれか一項に記載の電磁継電器ユニットと、
前記電磁石装置を制御する制御部とを備える、
電磁継電器システム。
【発明の詳細な説明】
【技術分野】
【０００１】
本開示は、一般に電磁継電器ユニット及び電磁継電器システムに関し、詳細には、可動接触子を固定接点が可動接点と接触しない状態と固定接点が可動接点と接触する状態との間で移動させる可動部と、可動部を駆動させる電磁石装置とを備える電磁継電器ユニット及び電磁継電器システムに関する。
【背景技術】
【０００２】
特許文献１には、巻線とコイルボビンとを含む駆動装置と、駆動装置により駆動される接点装置と、巻線と電気的に接続されるリード線と、駆動装置及び接点装置を収納するハウジングとを備える電磁継電器が開示されている。
【先行技術文献】
【特許文献】
【０００３】
【特許文献１】特開２０１７−１９５０９７号公報
【発明の概要】
【発明が解決しようとする課題】
【０００４】
１つの装置又は設備などに、複数の電磁継電器が設けられる場合、装置又は設備などの内部における電磁継電器の占有体積の増大が問題になることがある。また、複数の電磁継電器が近接して設けられると、電磁継電器の接点に生じるジュール熱が電磁継電器から放出されにくくなることがある。
【０００５】
本開示の課題は、複数の接点の開閉を行うことができ、かつ各接点で生じるジュール熱が放出されやすい電磁継電器ユニット及び電磁継電器システムを提供することである。
【課題を解決するための手段】
【０００６】
本開示の一態様に係る電磁継電器ユニットは、第１接点装置と、第２接点装置と、電磁石装置と、ハウジングと、第１空間と、第２空間と、熱伝導部材とを備える。前記第１接点装置と前記第２接点装置との各々は、固定端子と、可動接触子と、可動部と、接点収容部とを備える。前記固定端子は、固定接点を有する。前記可動接触子は、可動接点を有する。前記可動部は、前記可動接触子を、前記固定接点が前記可動接点と接触しない非接触位置と前記固定接点が前記可動接点と接触する接触位置との間で、前記固定端子に対して移動させる。前記接点収容部は、前記固定端子の前記固定接点と前記可動接点とを収容する。前記電磁石装置は、前記可動部を駆動させる。前記ハウジングは、前記第１接点装置の前記接点収容部と前記第２接点装置の前記接点収容部とを収容する。前記第１空間は、前記ハウジングの内面と前記第１接点装置の前記接点収容部との間にある。前記第２空間は、前記ハウジングの内面と前記第２接点装置の前記接点収容部との間にある。前記熱伝導部材は、前記第１空間と前記第２空間とに配置されている。
【０００７】
本開示の一態様に係る電磁継電器システムは、前記電磁継電器ユニットと、前記電磁石装置を制御する制御部とを備える。
【発明の効果】
【０００８】
本開示の一態様によれば、複数の接点の開閉を行うことができ、かつ各接点に生じるジュール熱が放出されやすい電磁継電器ユニット及び電磁継電器システムを得ることができる。
【図面の簡単な説明】
【０００９】
【図１】本開示の一実施形態に係る電磁継電器ユニットの斜視図である。
【図２】同上の電磁継電器ユニットの前面側から視た断面図である。
【図３】同上の電磁継電器ユニットの左側面側から視た断面図である。
【図４】同上の電磁継電器ユニットの破断した斜視図である。
【図５】同上の電磁継電器ユニットの、下面側から見た斜視図である。
【図６】本開示の一実施形態に係る電磁継電器システムのブロック図である。
【図７】同上の電磁継電器ユニットの、下面側から見た分解斜視図である。
【発明を実施するための形態】
【００１０】
以下、本開示の実施形態について説明する。
【００１１】
本実施形態に係る電磁継電器ユニット１は、第１接点装置２０１と、第２接点装置２０２と、電磁石装置５と、ハウジング９と、第１空間８１と、第２空間８２と、熱伝導部材６とを備える（図１から図５参照）。第１接点装置２０１と第２接点装置２０２との各々は、固定端子２１と、可動接触子２４と、可動部３と、接点収容部４とを備える。固定端子２１は、固定接点２２を有する。可動接触子２４は、可動接点２５を有する。可動部３は、可動接触子２４を、固定接点２２が可動接点２５と接触しない非接触位置と固定接点２２が可動接点２５と接触する接触位置との間で、固定端子２１に対して移動させる。接点収容部４は、固定端子２１の固定接点２２と可動接点２５とを収容する。電磁石装置５は、可動部３を駆動させる。ハウジング９は、第１接点装置２０１の接点収容部４と第２接点装置２０２の接点収容部４とを収容する。第１空間８１は、ハウジング９の内面と第１接点装置２０１の接点収容部４との間にある。第２空間８２は、ハウジング９の内面と第２接点装置２０２の接点収容部４との間にある。熱伝導部材６は、第１空間８１と第２空間８２とに配置されている。
【００１２】
本実施形態によると、１つの電磁継電器ユニット１において第１接点装置２０１と、第２接点装置２０２との各々が接点の開閉を行うことができる。このため、複数の接点を必要とする設備又は装置等に電磁継電器が設置される場合の、電磁継電器の占める体積を削減することが可能となる。また、本実施形態では、第１接点装置２０１と第２接点装置２０２の各々において、可動接触子２４が接触位置にあるときに可動接触子２４と固定端子２１との間に電流が流れることでジュール熱が発生する。しかし、本実施形態ではジュール熱が接点収容部４から熱伝導部材６及びハウジング９を通じて電磁継電器ユニット１の外部へ放出されやすい。このため、第１接点装置２０１及び第２接点装置２０２の動作を安定させやすい。
【００１３】
これにより、複数の接点の開閉を行うことができ、かつ各接点に生じるジュール熱が放出されやすい電磁継電器ユニット１が得られる。
【００１４】
本実施形態について、より具体的に説明する。なお、以下の説明において、電磁石装置５に対して第１接点装置２０１及び第２接点装置２０２がある側の向きを上方といい、上方とは反対側の向きを下方といい、上方と下方とを含む方向を上下方向という。また、第１接点装置２０１と第２接点装置２０２とが並んでいる方向を前後方向といい、第１接点装置２０１から見て第２接点装置２０２側の向きを後方、第２接点装置２０２から見て第１接点装置２０１側の向きを前方という。観測者にとっての前が前方を、観測者にとっての後が後方を向く場合の、観測者にとっての右を向く向きを右方といい、観測者にとっての左を向く向きを左方といい、右方と左方とを含む方向を左右方向という。特に明示しない限り、以下の説明における上、下、前、後、左、及び右は、前述の向き及び方向に基づいて規定される。なお、これらの向き及び方向は、本実施形態に係る電磁継電器ユニット１の構造を説明するための便宜的なものであり、電磁継電器ユニット１を使用する場合の電磁継電器ユニット１の向き等を規定するものではない。また、下記の実施形態は、本開示の様々な実施形態の１つに過ぎない。下記の実施形態は、本開示の目的を達成できれば、設計等に応じて種々の変更が可能である。下記の実施形態において説明する各図は、模式的な図であり、図中の各構成要素の大きさ及び厚さそれぞれの比が必ずしも実際の寸法比を反映しているとは限らない。
【００１５】
本実施形態について、図１から図５を参照して説明する。本実施形態に係る電磁継電器ユニット１は、第１接点装置２０１と、第２接点装置２０２と、電磁石装置５と、ハウジング９とを備える。ハウジング９には、第１接点装置２０１と第２接点装置２０２と電磁石装置５とを含む内装部品が収容されている。ハウジング９内で、電磁石装置５の上方に第１接点装置２０１と第２接点装置２０２とが配置され、第１接点装置２０１と第２接点装置２０２とは、第１接点装置２０１の後方に第２接点装置２０２があるように前後方向に並んでいる。
【００１６】
内装部品について説明する（特に図２及び図３参照）。
【００１７】
第１接点装置２０１と第２接点装置２０２との各々は、固定端子２１と、可動接触子２４と、接点収容部４と、可動部３とを備える。
【００１８】
固定端子２１は、固定接点２２を有する。本実施形態では、固定端子２１は、第１固定端子２１１と第２固定端子２１２とを含み、固定接点２２は第１固定接点２２１と第２固定接点２２２とを含む。第１固定端子２１１が第１固定接点２２１を有し、第２固定端子２１２が第２固定接点２２２を有する。第１固定端子２１１と第２固定端子２１２との各々は、銅などの導電性材料で作製されている。第１固定端子２１１と第２固定端子２１２とは、左右方向に並び、第１固定端子２１１の左方に第２固定端子２１２がある。第１固定端子２１１と第２固定端子２１２の各々の形状は、円柱状である。
【００１９】
第１固定端子２１１の下端に下方を向く第１固定接点２２１がある。本実施形態では、第１固定端子２１１は第１固定接点２２１と一体の部材であって、第１固定端子２１１の下端の部分が第１固定接点２２１である。なお、第１固定端子２１１は、第１固定端子２１１の本体である部材と、この本体の下端に取り付けられた本体とは別の部材である第１固定接点２２１とを有してもよい。また、第２固定端子２１２の下端に下方を向く第２固定接点２２２がある。本実施形態では、第２固定端子２１２は第２固定接点２２２と一体の部材であって、第２固定端子２１２の下端の部分が第２固定接点２２２である。なお、第２固定端子２１２は、第２固定端子２１２の本体である部材と、この本体の下端に取り付けられた本体とは別の部材である第２固定接点２２２とを有してもよい。
【００２０】
可動接触子２４は、銅などの導電材料から作製される。可動接触子２４は、可動接点２５を有する。本実施形態では、可動接点２５は、第１可動接点２５１と第２可動接点２５２とを含む。可動接触子２４は、左右方向に長く、かつ上下方向に厚みを有する平板状である。可動接触子２４は、上下方向に移動可能である。可動接触子２４の上面における左右方向の２つの端部に、それぞれ第１可動接点２５１と第２可動接点２５２とがある。第１可動接点２５１は第１固定接点２２１の下方にあり、第１可動接点２５１と第１固定接点２２１とは上下方向に対向している。第２可動接点２５２は第２固定接点２２２の下方にあり、第２可動接点２５２と第２固定接点２２２とは上下方向に対向している。本実施形態では、可動接触子２４は一体の部材であって、可動接触子２４の一部が第１可動接点２５１、別の一部が第２可動接点２５２である。なお、可動接触子２４は、可動接触子２４の本体である平板状の部材と、この本体に取り付けられた本体とは別の第１可動接点２５１及び第２可動接点２５２とを有してもよい。
【００２１】
可動接触子２４は、固定接点２２が可動接点２５と接触しない非接触位置と固定接点２２が可動接点２５と接触する接触位置との間で、固定端子２１に対して移動可能である。本実施形態では、非接触位置では第１固定接点２２１と第２固定接点２２２との各々が第１可動接点２５１と第２可動接点２５２とにそれぞれ接触しない。接触位置では第１固定接点２２１と第２固定接点２２２とが第１可動接点２５１と第２可動接点２５２とにそれぞれ接触する。可動接触子２４は、非接触位置と接触位置との間で、上下方向に移動する。
【００２２】
接点収容部４は、固定端子２１の固定接点２２と可動接触子２４とを収容する容器である。接点収容部４は、セラミック等の非磁性の耐熱性材料から作製されている。接点収容部４の形状は、下面が開口した箱状である。接点収容部４の上面には、左右方向に並んだ２つの貫通孔４１１がある。接点収容部４の内部の空間は、固定接点２２（第１固定接点２２１及び第２固定接点２２２）と可動接触子２４とを収容する収容室４１である。収容室４１には、例えば水素等の消弧ガスが封入されている。第１固定端子２１１と第２固定端子２１２の各々は、貫通孔４１１に通されている。これにより、接点収容部４は、固定端子２１の固定接点２２を収容する。第１固定端子２１１と第２固定端子２１２の各々の上端は、接点収容部４の上面から上方に突出している。第１固定端子２１１と第２固定端子２１２の各々は、例えば接点収容部４にろう付けによって接合されている。
【００２３】
接点収容部４には遮蔽部材２６も配置されている。遮蔽部材２６は、電気絶縁性を有している。遮蔽部材２６は、例えば、セラミック又は合成樹脂等の電気絶縁性を有する材料から作製されている。遮蔽部材２６は、収容室４１における可動接触子２４の下方に配置されている。遮蔽部材２６は、固定接点２２と可動接点２５との間に発生するアークが、可動接触子２４の前方又は後方を通って可動接触子２４の下まで引き延ばされたときに、このアークに接触して更に引き延ばすことで、アークの遮蔽を促進できる。アークは、可動接触子２４が接触位置から非接触位置に移動するときに、可動接点２５と固定接点２２との間に発生することがある。遮蔽部材２６は、上下方向に貫通する貫通孔２６１を有する。
【００２４】
接点収容部４の外面は、固定端子２１を外部に露出させる第１面４４１と、この第１面４４１につながり、かつ接点収容部４の開口と固定接点２２（第１固定接点２２１及び第２固定接点２２２）と可動接触子２４とを囲む第２面４４２とを、含む。本実施形態では、接点収容部４の上面が第１面４４１であり、接点収容部４の外周面が第２面４４２である。
【００２５】
可動部３は、ホルダ３１と、駆動軸３３とを備える。
【００２６】
ホルダ３１は、収容室４１に配置されている。ホルダ３１は、上壁３１１と、上壁３１１につながっている下壁３１２と、接圧ばね３２とを有している。上壁３１１は下壁３１２の上方にあり、上壁３１１と下壁３１２とは間隔をあけて上下方向に対向している。上壁３１１と下壁３１２との間には、可動接触子２４が通されている。接圧ばね３２は、例えば、圧縮コイルばねである。接圧ばね３２は、伸縮方向が上下方向である状態で、下壁３１２と可動接触子２４との間に配置されている。接圧ばね３２は、上向きの弾性力を可動接触子２４に加える。すなわち、接圧ばね３２は、可動接触子２４に上壁３１１へ向かう弾性力を可動接触子２４に加える。これにより、可動接触子２４が、上壁３１１と接圧ばね３２に挟まれることで、ホルダ３１に保持されている。
【００２７】
駆動軸３３の形状は、丸棒状である。駆動軸３３の軸方向は、上下方向に沿っている。駆動軸３３の上端は、ホルダ３１に結合されている。駆動軸３３は、ホルダ３１を介して、可動接触子２４につながっている。駆動軸３３は遮蔽部材２６の貫通孔２６１に通されている。駆動軸３３の下端は接点収容部４の下方に突出している。
【００２８】
電磁継電器ユニット１は、第１接点装置２０１と第２接点装置２０２とにそれぞれ対応する磁束発生部４３を更に備える。各磁束発生部４３は、２つの永久磁石４３１を有している。２つの永久磁石４３１は、接点収容部４を間に挟んで、第１固定接点２２１と第２固定接点２２２が並ぶ方向（左右方向）に対向している。または、２つの永久磁石４３１は、同極を互いに対向させてもよい。２つの永久磁石４３１は、異極を互いに対向させている。すなわち、２つの永久磁石４３１のうち一方のＮ極と他方のＳ極とが対向している。２つの永久磁石４３１は、固定接点２２と可動接点２５との間の空間（第１固定接点２２１と第１可動接点２５１との間の空間、及び第２固定接点２２２と第２可動接点２５２との間の空間）に、左右方向の磁束を発生させる。左右方向の磁束は、固定接点２２の周囲又は可動接点２５の周囲に存在することが好ましい。磁束発生部４３は、収容室４１に磁束を発生させることで、固定接点２２と可動接点２５との間に発生するアークを引き延ばし、これにより迅速な消弧を可能とする。
【００２９】
電磁石装置５は、本実施形態では、第１電磁石装置５０１と第２電磁石装置５０２とを含む。第１電磁石装置５０１と第２電磁石装置５０２との各々は、励磁コイル５１と、コイルボビン５２と、可動鉄心５３と、継鉄５４と、復帰ばね５５と、円筒部材５６と、ブッシュ５７とを備える。第１電磁石装置５０１と第２電磁石装置５０２との各々は、励磁コイル５１の両端が接続される２つのコイル端子を更に備える。
【００３０】
コイルボビン５２は、例えば樹脂から作製される。コイルボビン５２には、励磁コイル５１が巻かれている。コイルボビン５２は、２つの鍔部５２１、５２２と、円筒部５２３とを有している。円筒部５２３は上下方向の中心軸を有する円筒状である。円筒部５２３には、励磁コイル５１が巻かれている。鍔部５２１は、円筒部５２３の上端から、円筒部５２３の径方向における外向きに延びている。鍔部５２２は、円筒部５２３の下端から、円筒部５２３の径方向における外向きに延びている。
【００３１】
円筒部材５６の形状は、上下方向の中心軸を有し、かつ上端が開口した有底円筒状である。円筒部材５６は、円筒部５２３に収容されている。
【００３２】
可動鉄心５３は、磁性材料から作製されている。可動鉄心５３は、円筒部材５６に収容されている。可動鉄心５３の形状は、上下方向の中心軸を有する円柱状である。可動鉄心５３には、可動鉄心５３の上面から下方に窪んだ凹部５３１が形成されている。
【００３３】
第１接点装置２０１の可動部３の駆動軸３３は、第１電磁石装置５０１の凹部５３１に通され、かつ駆動軸３３の下端部が第１電磁石装置５０１の可動鉄心５３に固定されている。第２接点装置２０２の可動部３の駆動軸３３は、第２電磁石装置５０２の凹部５３１に通され、かつ駆動軸３３の下端部が第２電磁石装置５０２の可動鉄心５３に固定されている。
【００３４】
継鉄５４は、励磁コイル５１の通電時に励磁コイル５１で発生した磁束が通る磁気回路の少なくとも一部である。継鉄５４は、板状の第１の継鉄５４１と、板状の第２の継鉄５４２と、２つの板状の第３の継鉄５４３とを備える。第１の継鉄５４１は、可動接触子２４と励磁コイル５１との間に配置されている。第１の継鉄５４１は、コイルボビン５２の上面に接している。第２の継鉄５４２は、コイルボビン５２の下面に接している。２つの第３の継鉄５４３は、第２の継鉄５４２の左右両端から第１の継鉄５４１へ延びている。第１の継鉄５４１の形状は、矩形板状である。第１の継鉄５４１の略中央には、挿通孔５４４が形成されている。挿通孔５４４には、駆動軸３３が通されている。
【００３５】
復帰ばね５５は、例えば、圧縮コイルばねである。復帰ばね５５の伸縮方向（上下方向）の第１端（上端）は、第１の継鉄５４１に接しており、第２端（下端）は、可動鉄心５３の凹部５３１の底面に接している。復帰ばね５５は、可動鉄心５３に下向きの弾性力を加える。
【００３６】
ブッシュ５７は、磁性材料から作製されている。ブッシュ５７の形状は、円筒状である。ブッシュ５７は、コイルボビン５２の内周面と円筒部材５６の外周面との間に配置されている。ブッシュ５７は、継鉄５４及び可動鉄心５３とともに、励磁コイル５１の通電時に発生する磁束が通る磁気回路を構成している。
【００３７】
電磁継電器ユニット１は、接点収容部４と電磁石装置５とを連結する連結体４２を更に備える。本実施形態では、連結体４２は、第１接点装置２０１の接点収容部４と第１電磁石装置５０１とを連結する第１連結体４２１と、第２接点装置２０２の接点収容部４と第２電磁石装置５０２とを連結する第２連結体４２２とを備える。第１連結体４２１及び第２連結体４２２の各々の形状は、矩形枠状である。第１連結体４２１は、第１接点装置２０１の接点収容部４にろう付けによって接合され、第１電磁石装置５０１の備える継鉄５４にもろう付けにより接合されている。第２連結体４２２は、第２接点装置２０２の接点収容部４にろう付けによって接合され、第２電磁石装置５０２の備える継鉄５４にもろう付けにより接合されている。これにより、各接点収容部４の開口が継鉄５４で閉塞される。また、これにより、第１接点装置２０１とこれに連結されている第１電磁石装置５０１とを備える第１内器１０１と、第２接点装置２０２とこれに連結されている第２電磁石装置５０２とを備える第２内器１０２とが、構成される。
【００３８】
ハウジング９について説明する。ハウジング９は、例えば樹脂などから作製される。ハウジング９は、収容部９１と閉塞部９２とを備える。収容部９１は、開口９４を有し、接点収容部４と電磁石装置５とを収容する。本実施形態では、開口９４は下方に向けて開いている。閉塞部９２は、開口９４の少なくとも一部（本実施形態では全部）を閉塞するように収容部９１に取り付けられている。開口９４は略四角形状であり、閉塞部９２は、開口９４の形状に対応する略四角形状である。収容部９１は、上述の第１接点装置２０１、第２接点装置２０２及び電磁石装置５とを含む内装部品を収容する。これにより、ハウジング９は、第１接点装置２０１、第２接点装置２０２及び電磁石装置５を収容する。収容部９１において、上側から順に、第１接点装置２０１の接点収容部４及び第２接点装置２０２の接点収容部４と、電磁石装置５と、収容部９１の開口９４とが配置されている。このため、電磁石装置５の下方に閉塞部９２が位置し、電磁石装置５と閉塞部９２とが上下方向に対向する。これにより、開口９４は、電磁石装置５に対して接点収容部４とは反対側の位置にあり、電磁石装置５と接点収容部４とは開口９４の開口面と直交する方向に沿って並んでいる。
【００３９】
ハウジング９内には、第１空間８１と第２空間８２とがある。第１空間８１は、ハウジングの内面と第１接点装置２０１の接点収容部４との間にある。すなわち、ハウジングの内面と第１接点装置２０１の接点収容部４の外面との間に挟まれた空間が第１空間８１である。第２空間８２は、ハウジング９の内面と第２接点装置２０２の接点収容部４との間にある。すなわち、ハウジング９の内面と第２接点装置２０２の接点収容部４の外面との間に挟まれた空間が第２空間８２である。
【００４０】
ハウジング９内には、ハウジング９の内面と電磁石装置５との間にある電磁石側空間８０もある。本実施形態では、電磁石側空間８０は、ハウジング９の内面と第１電磁石装置５０１との間にある第３空間８３と、ハウジング９の内面と第２電磁石装置５０２との間にある第４空間８４とを含む。すなわち、ハウジング９の内面と第１電磁石装置５０１の外面との間に挟まれた空間が第３空間８３であり、ハウジング９の内面と第２電磁石装置５０２の外面との間に挟まれた空間が第４空間８４である。
【００４１】
第１空間８１において、ハウジング９の内面と接点収容部４との間に、磁束発生部４３の永久磁石４３１等の接点収容部４以外の部品が部分的に介在していてもよい。第２空間８２においても、ハウジング９の内面と電磁石装置５との間に、電磁石装置５以外の部品が部分的に介在していてもよい。第３空間８３において、ハウジング９の内面と第１電磁石装置５０１との間に第１電磁石装置５０１以外の部品が部分的に介在していてもよい。第４空間８４において、ハウジング９の内面と第２電磁石装置５０２との間に第２電磁石装置５０２以外の部品が部分的に介在していてもよい。
【００４２】
本実施形態では、第１空間８１は第２空間８２に隣接し、第１空間８１と第２空間８２とは互いに通じている（特に図３及び図４参照）。すなわち、第１空間８１と第２空間８２とが１つの空間を構成している。また、本実施形態は、第１空間８１と第２空間８２との各々は、電磁石側空間８０に隣接し、第１空間８１と第２空間８２との各々は、電磁石側空間８０に通じている。電磁石側空間８０において、第３空間８３は第４空間８４に隣接し、第３空間８３と第４空間８４とは互いに通じている。すなわち、本実施形態では、第１空間８１と、第２空間８２と、第３空間８３と第４空間８４とが、１つの空間を構成している。
【００４３】
ハウジング９は、通孔９３を有し、通孔９３を介してハウジング９の外部と第１空間８１及とが通じている（図４及び５参照）。ハウジング９は通孔９３を複数有してもよい。本実施形態では、ハウジング９は閉塞部９２を貫通する通孔９３を有する。閉塞部９２は２つの通孔９３を有している。本実施形態における通孔９３は電磁石側空間８０に通じるが、上述のとおり第１空間８１と第２空間８２との各々は、電磁石側空間８０に通じているので、通孔９３は電磁石側空間８０を介して第１空間８１及び第２空間８２に通じている。
【００４４】
ハウジング９は、固定端子２１をハウジング９の外部に露出させる露出開口９５を有する。露出開口９５は、ハウジング９の第１端部（上端部）に設けられている。通孔９３は、第１端部とは反対側を向くハウジング９の第２端部（下端部）に設けられている。具体的には、露出開口９５は、第１接点装置２０１における第１固定端子２１１に対応する第１露出開口９５１と、第２固定端子２１２に対応する第２露出開口９５２とを含む。露出開口９５は、第２接点装置２０２における第１固定端子２１１に対応する第３露出開口９５３と、第２固定端子２１２に対応する第４露出開口９５４とを更に含む。第１露出開口９５１、第２露出開口９５２、第３露出開口９５３及び第４露出開口９５４の各々は、収容部９１の上面を上下方向に貫通する。第１露出開口９５１と第２露出開口９５２とは左右方向に並び、第３露出開口９５３と第４露出開口９５４とは左右方向に並ぶ。第１露出開口９５１と第２露出開口９５２との組み合わせと、第３露出開口９５３と第４露出開口９５４との組み合わせは、前後方向に並ぶ。第１接点装置２０１の第１固定端子２１１及び第２固定端子２１２における、接点収容部４から突出している部分は、それぞれ第１露出開口９５１及び第２露出開口９５２に挿通されている。これにより第１固定端子２１１の上端が第１露出開口９５１から上方へ突出し、第２固定端子２１２の上端が第２露出開口９５２から上方へ突出している。これにより、第１接点装置２０１の第１固定端子２１１及び第２固定端子２１２がハウジング９の外部に露出する。第１固定端子２１１と第１露出開口９５１との間には隙間を有し、第２固定端子２１２と第２露出開口９５２との間には隙間を有している。これらの隙間を介してハウジング９の外部と第１空間８１とが通じている。同様に、第２接点装置２０２の第１固定端子２１１及び第２固定端子２１２における、接点収容部４から突出している部分は、それぞれ第３露出開口９５３及び第４露出開口９５４に挿通されている。これにより第１固定端子２１１の上端が第３露出開口９５３から上方へ突出し、第２固定端子２１２の上端が第４露出開口９５４から上方へ突出している。これにより、第２接点装置２０２の第１固定端子２１１及び第２固定端子２１２がハウジング９の外部に露出する。第３固定端子２１３と第３露出開口９５３との間には隙間を有し、第４固定端子２１４と第４露出開口９５４との間には隙間を有している。これらの隙間を介してハウジング９の外部と第２空間８２とが通じている。
【００４５】
ハウジング９は、ハウジング９の内面における第１接点装置２０１の接点収容部４の第１面４４１及び第２接点装置２０２の接点収容部４の第１面４４１と対向する面から下方に向けて突出する壁部９６を備える。壁部９６は、第１接点装置２０１の接点収容部４と第２接点装置２０２の接点収容部４との間を部分的に仕切っている。この壁部９６は、ハウジング９を補強できる。壁部９６の先端は、第１電磁石装置５０１と第２電磁石装置５０２との間に設けられている。また、壁部９６の先端が、第１接点装置２０１と第２接点装置２０２との間に設けられてもよい。
【００４６】
電磁継電器ユニット１は、シール材７を備える。シール材７は、第１空間８１及び第２空間８２が露出開口９５を介してハウジング９の外部に通じないように、第１空間８１及び第２空間８２をハウジング９の外部から遮蔽する。シール材７は、ハウジング９と固定端子２１との間からの、外部からハウジング９内への異物の侵入を防止できる。シール材７は、例えばシリコーンゴムなどの弾性を有するエラストマーから作製される。本実施形態では、シール材７は、第１接点装置２０１の第１固定端子２１１のための第１シール材７１と、第１接点装置２０１の第２固定端子２１２のための第２シール材７２とを含む。シール材７は、第２接点装置２０２の第１固定端子２１１のための第３シール材７３と、第２接点装置２０２の第２固定端子２１２のための第４シール材７４とを更に含む。第１シール材７１及び第２シール材７２は、それぞれ第１露出開口９５１と第２露出開口９５２が第１空間８１をハウジング９の外部に通じさせないようにシールする。第３シール材７３及び第４シール材７４は、それぞれ第３露出開口９５３と第４露出開口９５４が第１空間８１をハウジング９の外部に通じさせないようにシールする。これにより、シール材７は、第１露出開口９５１及び第２露出開口９５２を介して第１空間８１とハウジング９とが通じる経路を遮蔽する。
【００４７】
より具体的には、第１〜第４シール材７１〜７４の各々はリング状である。第１〜第４シール材７１〜７４の各々は、接点収容部４の上面とハウジング９の内面（収容部９１の内面）との間において、接点収容部４の上面に接する。第１接点装置２０１において、第１及び第２シール材７１、７２は、接点収容部４の上面とハウジング９の内面（収容部９１の内面）との間において、接点収容部４の上面に接する。さらに、第１シール材７１及び第２シール材７２は、それぞれハウジング９の内面における第１露出開口９５１及び第２露出開口９５２の縁にも接する。第１及び第２シール材７１、７２の各々は、ハウジング９と接点収容部４とに挟まれ、圧縮変形していることが好ましい。第１シール材７１及び第２シール材７２は、それぞれ第１固定接点２２１の周囲及び第２固定接点２２２の周囲を囲んでいる。具体的には、第１シール材７１は、第１固定接点２２１の外周面を囲って、この外周面に接し、第２シール材７２は、第２固定接点２２２の外周面を囲って、この外周面に接している。同様に、第２接点装置２０２において、第３及び第４シール材７３、７４は、接点収容部４の上面とハウジング９の内面（収容部９１の内面）との間において、接点収容部４の上面に接する。さらに、第３シール材７３及び第４シール材７４は、それぞれハウジング９の内面における第３露出開口９５３及び第４露出開口９５４の縁にも接する。第３及び第４シール材７３、７４の各々は、ハウジング９と接点収容部４とに挟まれ、圧縮変形していることが好ましい。第３シール材７３及び第４シール材７４は、それぞれ第３固定接点２２３の周囲及び第４固定接点２２４の周囲を囲んでいる。具体的には、第３シール材７３は、第３固定接点２２３の外周面を囲って、この外周面に接し、第４シール材７４は、第４固定接点２２４の外周面を囲って、この外周面に接している。
【００４８】
また、露出開口９５におけるハウジング９と固定端子２１との間の隙間にシール材７を配置することにより、シール材７により第１空間８１をハウジング９の外部から遮蔽してもよい。
【００４９】
熱伝導部材６は、空気よりも高い熱伝導率を有する部材であればよい。熱伝導部材６は、例えば樹脂製である。熱伝導部材６は、例えば二液型のウレタン樹脂組成物を成形して反応硬化させることで作製される。いわゆる、ポッティング剤である。熱伝導部材６は、上述のとおり第１空間８１及び第２空間８２に配置される。本実施形態では熱伝導部材６は電磁石側空間８０にも配置される。熱伝導部材６は電磁石側空間８０において、第３空間８３及び第４空間８４に配置される。熱伝導部材６は、第１空間８１の少なくとも一部と、第２空間８２の少なくとも一部に配置されていればよい。また、熱伝導部材６は、第３空間８３及び第４空間８４の少なくとも一部に配置されていてよい。
【００５０】
本実施形態では、熱伝導部材６は、第１空間８１に配置される第１部分６１と、第２空間８２に配置される第２部分６２とを備える。本実施形態では、熱伝導部材６は、第３空間８３に配置される第３部分６３と、第４空間８４に配置される第４部分６４とを更に備える。
【００５１】
本実施形態では第１部分６１と第２部分６２とは、連続的につながっている。すなわち、第１部分６１と第２部分６２の各々は、１つの部材である熱伝導部材６の一部である。この場合、第１部分６１は、第１空間８１の全体に配置されていてもよく、第１空間８１の一部に配置されていてもよい。また第２部分６２は、第２空間８２の全体に配置されていてもよく、第２空間８２の一部に配置されていてもよい。
【００５２】
本実施形態では、電磁石側空間８０において、第３部分６３と第４部分６４とが、連続的につながっている。すなわち、第３部分６３と第４部分６４の各々は、１つの部材である熱伝導部材６の一部である。この場合、第３部分６３は、第３空間８３の全体に配置されていてもよく、第３空間８３の一部に配置されていてもよい。また第４部分６４は、第４空間８４の全体に配置されていてもよく、第４空間８４の一部に配置されていてもよい。
【００５３】
本実施形態では、第１部分６１及び第２部分６２と、電磁石側空間８０とが、連続的につながっている。すなわち、第１部分６１と第２部分６２と第３部分６３と第４部分６４との各々は、１つの部材である熱伝導部材６の一部である。
【００５４】
第１空間８１において、熱伝導部材６（第１部分６１）は、接点収容部４に接し、かつハウジング９の内面にも接していることが好ましい。この場合、第１接点装置２０１の接点で生じた熱が接点収容部４から熱伝導部材６及びハウジング９を介して電磁継電器ユニット１の外部へ放出されやすい。第２空間８２において、熱伝導部材６（第２部分６２）は、接点収容部４に接し、かつハウジング９の内面にも接していることが好ましい。この場合、第２接点装置２０２の接点で生じた熱が接点収容部４から熱伝導部材６及びハウジング９を介して電磁継電器ユニット１の外部へ放出されやすい。第３空間８３において、熱伝導部材６（第３部分６３）は、第１電磁石装置５０１に接し、かつハウジング９の内面にも接していることが好ましい。この場合、第１電磁石装置５０１で生じた熱が熱伝導部材６及びハウジング９を介して電磁継電器ユニット１の外部へ放出されやすい。第４空間８４において、熱伝導部材６（第４部分６４）は、第２電磁石装置５０２に接し、かつハウジング９の内面にも接していることが好ましい。この場合、第２電磁石装置５０２で生じた熱が熱伝導部材６及びハウジング９を介して電磁継電器ユニット１の外部へ放出されやすい。具体的には、第３空間及び第４空間の各々は、ハウジング９と継鉄５４との間の空間と、励磁コイル５１と継鉄５４との間の空間を含む。熱伝導部材６は、このハウジング９と継鉄５４との間の空間と、励磁コイル５１と継鉄５４との間の空間とのうち、少なくとも一方に配置されていることが好ましく、両方に配置されていることが更に好ましい。また、熱伝導部材６は、コイルボビン５２の２つの鍔部５２１、５２２との間に配置してもよい。
【００５５】
ここで、本実施形態における第１空間８１は、第１接点装置２０１の接点収容部４の外面とハウジング９における第１接点装置２０１の接点収容部４を囲む部分の内面との間の空間である。上述のとおり、接点収容部４の外面は第１面４４１と第２面４４２とを含む。そのため、第１空間８１は、第１面４４１とハウジング９の内面との間の空間と、第２面４４２とハウジング９の内面との間の空間とを、含む。熱伝導部材６（第１部分６１）は、第１面４４１とハウジング９の内面との間の空間と、第２面４４２とハウジング９の内面との間の空間とのうち、少なくとも一方に配置されることが好ましく、両方に配置されていれば更に好ましい。この場合、第１接点装置２０１における接点で生じた熱が接点収容部４から熱伝導部材６及びハウジング９を介して電磁継電器ユニット１の外部へ特に放出されやすい。
【００５６】
また、本実施形態における第２空間８２は、第２接点装置２０２の接点収容部４の外面とハウジング９における第２接点装置２０２の接点収容部４を囲む部分の内面との間の空間である。上述のとおり、接点収容部４の外面は第１面４４１と第２面４４２とを含む。そのため、第２空間８２は、第１面４４１とハウジング９の内面との間の空間と、第２面４４２とハウジング９の内面との間の空間とを、含む。熱伝導部材６（第２部分６２）は、第１面４４１とハウジング９の内面との間の空間と、第２面４４２とハウジング９の内面との間の空間とのうち、少なくとも一方に配置されることが好ましく、両方に配置されていれば更に好ましい。この場合、第２接点装置２０２における接点で生じた熱が接点収容部４から熱伝導部材６及びハウジング９を介して電磁継電器ユニット１の外部へ特に放出されやすい。
【００５７】
また、上記のとおり、本実施形態では、第１部分６１と第２部分６２とが連続的につながっている。このため、第１接点装置２０１における接点に生じたジュール熱が第１部分６１だけでなく第２部分６２も通じてハウジング９に伝達され、ハウジング９を介して電磁継電器ユニット１の外部へ放出されうる。このため、第１接点装置２０１における接点に生じたジュール熱が特に放出されやすい。同様に、第２接点装置２０２における接点で生じたジュール熱が第２部分６２だけでなく第１部分６１も通じてハウジング９に伝達され、ハウジング９を介して電磁継電器ユニット１の外部へ放出されうる。このため、第２接点装置２０２における接点で生じたジュール熱も特に放出されやすい。
【００５８】
本実施形態に係る電磁継電器ユニット１の動作について説明する。
【００５９】
電磁石装置５が可動部３を駆動させる電磁気力を発生させると、可動部３が駆動されることで、可動部３が可動接触子２４を、非接触位置から接触位置へ移動させる。
【００６０】
本実施形態では、第１電磁石装置５０１が第１接点装置２０１の可動部３を駆動させる電磁気力を発生させると、第１接点装置２０１の可動部３が駆動されることで、可動部３が第１接点装置２０１の可動接触子２４を、非接触位置から接触位置へ移動させる。また、第２電磁石装置５０２が第２接点装置２０２の可動部３を駆動させる電磁気力を発生させると、第２接点装置２０２の可動部３が駆動されることで、可動部３が第２接点装置２０２の可動接触子２４を、非接触位置から接触位置へ移動させる。
【００６１】
具体的には、励磁コイル５１が通電されると、励磁コイル５１で発生する磁束が磁気回路を通るので、磁気回路の磁気抵抗が小さくなるように、可動鉄心５３を上向きに移動させようとする電磁気力が生じる。この電磁気力が、復帰ばね５５が可動鉄心５３を下向きに押す力（弾性力）を上回ることで、可動鉄心５３が、磁気回路における第１の継鉄５４１と可動鉄心５３の上端との間のギャップを埋めるように、上向きに移動する。これにより、電磁石装置５が可動部３を駆動させる。
【００６２】
可動鉄心５３が上方に移動すると、可動部３における駆動軸３３及びホルダ３１も上昇する。それに伴って、ホルダ３１に保持されている可動接触子２４が上方に移動する。その結果、可動接触子２４は接触位置となる。これにより、第１固定接点２２１と第２固定接点２２２とが可動接触子２４を介して電気的に接続される。すなわち、第１固定端子２１１と第２固定端子２１２とが電気的に接続される。
【００６３】
可動接触子２４が接触位置にあるときに、励磁コイル５１が通電された状態から、通電されていない状態になると、可動鉄心５３を上向きに移動させる電磁気力が消滅するので、可動鉄心５３は、復帰ばね５５の弾性力により下向きに移動する。その結果、可動接触子２４が下向きに移動し、可動接触子２４は非接触位置となる。これにより、第１固定端子２１１と第２固定端子２１２とが電気的に接続されていない状態になる。
【００６４】
可動接触子２４が接触位置にあるときに、第１固定端子２１１と第２固定端子２１２との間に電圧がかけられていると、第１固定端子２１１と可動接触子２４との間、及び可動接触子２４と第２固定端子２１２との間に電流が流れることで、ジュール熱が発生する。本実施形態では、このジュール熱が、接点収容部４から熱伝導部材６及びハウジング９を通じて電磁継電器ユニット１の外部へ放出されやすい。このため、可動接触子２４及び固定端子２１の温度が過剰に高くなりにくく、その結果、電磁継電器ユニット１の動作が安定しやすい。
【００６５】
また、本実施形態では、電磁石側空間８０（第３空間８３及び第４空間８４）にも熱伝導部材６が配置されているため、電磁石装置５で発生する熱も、熱伝導部材６及びハウジング９を通じて電磁継電器ユニット１の外部へ放出されやすい。このため、電磁石装置５の温度が過剰に高くなりにくく、その結果、電磁継電器ユニット１の動作が安定しやすい。
【００６６】
また、シール材７は、熱伝導部材６又はその原料が第１空間８１に配置される際に、熱伝導部材６又はその原料が第１空間８１からハウジング９の外部に漏出しにくくできる。このため、第１空間８１を満たす熱伝導部材６が作製されやすい。このため、本実施形態では、接点に生じるジュール熱が放出されやすい電磁継電器ユニット１を、容易に得ることができる。
【００６７】
本実施形態に係る電磁継電器ユニット１では、第１接点装置２０１の可動接触子２４が接触位置にあるときには、第２接点装置２０２の可動接触子２４は非接触位置にあることが好ましい。また、第２接点装置２０２の可動接触子２４が接触位置にあるときには、第１接点装置２０１の可動接触子２４は非接触位置にあることが好ましい。電磁石装置５は、第１接点装置２０１と第２接点装置２０２との各々の可動接触子２４が前述のとおり動作するように、可動接触子２４を駆動させることが好ましい。各可動接触子２４が前述のとおり動作すると、第１接点装置２０１にジュール熱が生じるときには、第２接点装置２０２ではジュール熱は生じない。そのため第１接点装置２０１の接点に発生したジュール熱を効率良く伝達できる。同様に、第２接点装置２０２にジュール熱が生じるときには、第１接点装置２０１ではジュール熱は生じない。そのため第２接点装置２０２の接点に生じたジュール熱を効率良く伝達できる。特に、本実施形態では、熱伝導部材６の第１部分６１と第２部分６２とが連続的につながっている。このため、熱伝導部材６は、第１接点装置２０１の接点に生じたジュール熱と第２接点装置２０２の接点に生じたジュール熱とのうち一方のみを、第１部分６１と第２部分６２との両方を利用して伝達できる。このため、第１接点装置２０１と第２接点装置２０２との各々の接点に生じたジュール熱を放出する効率を特に高くできる。
【００６８】
電磁継電器ユニット１と制御部１１とを備える電磁継電器システム１０について説明する（図６参照）。
【００６９】
制御部１１は、電磁継電器ユニット１の電磁石装置５を制御する。これにより、制御部１１は、第１接点装置２０１及び第２接点装置２０２の各々における接点の開閉を制御できる。
【００７０】
具体的には、制御部１１は、第１電磁石装置５０１における励磁コイル５１に供給される電流を調整することで、第１電磁石装置５０１の動作を制御し、これにより第１接点装置２０１における接点の開閉を制御できる。また、制御部１１は、第２電磁石装置５０２における励磁コイル５１に供給される電流を調整することで、第２電磁石装置５０２の動作を制御し、これにより第２接点装置２０２における接点の開閉を制御できる。
【００７１】
図６は、電磁継電器システム１０の構成の一例を示すブロック図である。この電磁継電器システム１０は、電磁継電器ユニット１と、電源回路１２と、制御部１１とを備える。電源回路１２は、電磁継電器ユニット１における第１電磁石装置５０１の励磁コイル５１と、第２電磁石装置５０２の励磁コイル５１との各々に電流を供給する。制御部１１は、電源回路１２を制御することで、第１電磁石装置５０１における励磁コイル５１に供給される電流と、第２電磁石装置５０２における励磁コイル５１に供給される電流との、各々を調整する。すなわち、制御部１１は、電源回路１２を制御することで、電磁石装置５を制御する。制御部１１は、例えば制御部１１に入力される信号に応じて、電源回路１２を制御する。
【００７２】
制御部１１は、例えば１以上のプロセッサ及びメモリを有するマイクロコンピュータにて構成されている。言い換えれば、制御部１１は、１以上のプロセッサ及びメモリを有するコンピュータシステムにて実現されており、１以上のプロセッサがメモリに格納されているプログラムを実行することにより、コンピュータシステムが制御部１１として機能する。プログラムは、ここでは制御部１１のメモリにあらかじめ記録されているが、インターネット等の通信回線を通じて、又はメモリカード等の非一時的な記録媒体に記録されて提供されてもよい。コンピュータシステムを介して、プログラムをロードし、コンピュータシステムに制御部１１としての機能を実現させるプログラム命令を実行するコンピュータプログラムプロダクトが用いられてもよい。制御部１１は、マイクロコンピュータに限られず、例えばＡＳＩＣ（特定用途向け集積回路）といった、論理回路を含む集積回路でもよい。
【００７３】
制御部１１は、第１接点装置２０１の可動接触子２４が接触位置にあるときには、第２接点装置２０２の可動接触子２４が非接触位置にあるように、電磁石装置５を制御することが好ましい。また、制御部１１は、第２接点装置２０２の可動接触子２４が接触位置にあるときには、第１接点装置２０１の可動接触子２４が非接触位置にあるように、電磁石装置５を制御することが好ましい。この場合、上述のとおり、第１接点装置２０１と第２接点装置２０２との各々の接点に生じたジュール熱を放出する効率を特に高くできる。
【００７４】
電磁継電器ユニット１及び電磁継電器システム１０は、例えば、充電池と、充電池から供給される電力によって動作する電動機とを備える、電動車両に備えられる。この場合、例えば電磁継電器ユニット１において、第１接点装置２０１は、電動車両の外部の電源と充電池との間の電路に接続されている。第２接点装置２０２は、充電池と電動機との間の電路に接続されている。すなわち、第１接点装置２０１における第１固定端子２１１と第２固定端子２１２とのうち一方は電源に、他方は充電池に、電気的に接続されている。また、第２接点装置２０２における第１固定端子２１１と第２固定端子２１２とのうち一方は充電池に、他方は電動機に、電気的に接続されている。この場合、異なる２つの電路において、接点の開閉を、１つの電磁継電器ユニット１で行うことができる。また、電磁継電器ユニット１は、例えば外部の電源と充電池との間の電路で接点を閉じて充電池の充電を行う場合、充電池と電動機との間の電路で接点を開いて充電池から電動機へ電流が供給されないようにできる。また、電磁継電器ユニット１は、充電池と電動機との間の電路で接点を閉じて充電池から電動機へ電流が供給されるようにして電動機を駆動させている間、外部の電源と充電池との間の電路で接点を開くことができる。この場合、第１接点装置２０１が接点を閉じているときは、第２接点装置２０２は接点を開き、第２接点装置２０２が接点を閉じているときは、第１接点装置２０１は接点を開くように、電磁継電器ユニット１を動作させることができる。この場合、第１接点装置２０１の可動接触子２４が接触位置にあるときには、第２接点装置２０２の可動接触子２４が非接触位置にあり、第２接点装置２０２の可動接触子２４が接触位置にあるときには、第１接点装置２０１の可動接触子２４が非接触位置にある。この場合、上述のとおり、第１接点装置２０１と第２接点装置２０２との各々の接点に生じたジュール熱を放出する効率を特に高くできる。
【００７５】
本実施形態における、熱伝導部材６を作製する方法の一例について、図７を参照して説明する。
【００７６】
収容部９１、閉塞部９２、シール材７、並びに内装部品を用意する。図７では、第１内器１０１及び第２内器１０２以外の内装部品を省略している。
【００７７】
まず、第１内器１０１及び第２内器１０２を含む内装部品を、収容部９１の開口９４から収容部９１内に入れる。このとき、シール材７を、第１内器１０１と収容部９１との間及び第２内器１０２と収容部９１との間の、上記の説明のとおりの位置に配置する。これにより、シール材７で、ハウジング９と固定端子２１との間で第１空間８１及び第２空間８２をハウジング９の外部から遮蔽する。
【００７８】
続いて、収容部９１に閉塞部９２を取り付けて、開口９４を閉塞部９２で閉ざす。この状態では、第１空間８１、第２空間８２及び電磁石側空間８０には熱伝導部材６は配置されていない。これにより、熱伝導部材６を備えない電磁継電器ユニット１の中間製品が得られる。
【００７９】
次に、中間製品を、上記の説明とは上下が逆転した状態、すなわち収容部９１の開口９４が上方を向き、かつ固定端子２１が下方を向く状態に、配置する。この状態で、ハウジング９の２つの通孔９３（すなわち閉塞部９２を貫通する２つの通孔９３）のうち、一方の通孔９３から、ハウジング９内へ、熱伝導部材６の原料を入れる。このとき他方の通孔９３は密閉しないことが好ましい。熱伝導部材６の原料は、例えば流動性を有する反応硬化性の樹脂組成物であり、例えば二液型のウレタン樹脂組成物である。この原料は、いわゆるポッティング剤である。この場合、一方の通孔９３からハウジング９内に熱伝導部材６の原料が入れられるに従って、ハウジング９内の空気等のガスがもう一方の通孔９３からハウジング９の外部へ排出されやすい。そのため、ハウジング９内に熱伝導性部材の原料が入れられやすい。熱伝導部材６の原料は、例えばこの原料が第１空間８１及び第２空間８２の一部又は全部を満たし、或いは更に原料が電磁石側空間８０の一部又は全部を満たすまで、ハウジング９内に入れられる。ハウジング９内の原料の量は、例えば通孔９３を通じてハウジング９の内部を観察することで確認できる。
【００８０】
ハウジング９に原料を入れるときに、固定端子２１は下方を向いている。そのため、ハウジング９と固定端子２１との間に隙間があると、この隙間から原料が漏出してしまうおそれがある。しかし、本実施形態では、上述のとおり、ハウジング９に原料を入れる前から、シール材７が、露出開口９５を介して第１空間８１及び第２空間８２とハウジング９の外部とが通じる経路を遮蔽している。このため、固定端子２１と露出開口９５との隙間から原料が漏出しにくく、そのため第１空間８１及び第２空間８２に原料が配置されやすい。
【００８１】
続いて、ハウジング９内の原料を、必要に応じて加熱するなどして、反応硬化させる。これにより、原料の硬化物からなる熱伝導部材６が作製される。
【００８２】
本開示は、上記の実施形態には限られない。例えば本開示は、上記の実施形態における具体的な構成を変更した変形例を含みうる。以下に本開示の変形例を示す。なお、下記において、上記の実施形態と同じ構成については、同じ符号を付して、詳細な説明を適宜省略する。
【００８３】
上記の実施形態では、電磁継電器ユニット１は第１接点装置２０１と第２接点装置２０２という２つの接点装置を備えるが、電磁継電器ユニット１は、３つ以上の接点装置を備えてもよい。
【００８４】
上記の実施形態では、電磁石装置は、第１接点装置２０１の可動部と第２接点装置２０２の可動部とをそれぞれ駆動させる第１電磁石装置５０１と第２電磁石装置５０２とを含む。しかし、電磁石装置は第１接点装置２０１の可動部と第２接点装置２０２の可動部とを同時に駆動させる１つの電磁石装置のみを含んでもよい。
【００８５】
上記の実施形態では、熱伝導部材６は第１空間８１及び第２空間８２と電磁石側空間８０とに配置されているが、熱伝導部材６は第１空間８１及び第２空間８２に配置され、かつ電磁石側空間８０には配置されていなくてもよい。また、熱伝導部材６は第１空間８１の全体と第２空間８２の全体とを満たしていることが好ましいが、第１空間８１のうちの一部のみを満たしていてもよく、第２空間８２のうちの一部のみを満たしていてもよい。ただし、上述のとおり、熱伝導部材６は、各接点収容部４の第１面４４１とハウジング９の内面との間の空間と、第２面４４２とハウジング９の内面との間の空間とのうち、少なくとも一方に配置されることが好ましく、両方に配置されていれば更に好ましい。
【００８６】
熱伝導部材６は、ハウジング９の内面と接点収容部４の外面とのうち、少なくとも一方に接していることが好ましく、上記の実施形態のように両方に接していればより好ましい。
【００８７】
接点収容部４の構成は、固定端子２１の固定接点２２と可動接触子２４とを収容するのであれば、上記の実施形態に限られない。また、可動部３の構成は、電磁石装置５によって駆動して可動接触子２４を移動させることができるのであれば、上記の実施形態に限られない。可動部３は、電磁石装置５から可動接触子２４へ可動接触子２４を移動させるための動力を伝達する適宜の機械要素の組み合わせで構成されうる。
【００８８】
上記の実施形態ではシール材７はリング状であるが、シール材７は、固定端子２１の形状等に応じた適宜の形状を有してよい。また、上記の実施形態ではシール材７はエラストマーであるが、ハウジング９と固定端子２１との間で第１空間８１及び第２空間８２をハウジング９の外部から遮蔽できるのであれば、シール材７は硬質な部材であってもよい。
【００８９】
ハウジング９が通孔９３を有する場合、通孔９３の位置及び数は上記の実施形態に限られない。通孔９３の数は１つでもよく、３つ以上でもよい。
【００９０】
通孔９３の位置は、通孔９３が第１空間８１及び第２空間８２に通じるのであれば、いかなる位置でもよい。例えばハウジング９は、収容部９１の開口９４の内周縁の一部と閉塞部９２の外周縁の一部とで囲まれた通孔９３を有してもよい。すなわち、閉塞部９２は開口９４を部分的に閉塞し、開口９４における閉塞部９２で閉塞されていない部分が通孔９３であってもよい。ハウジング９は、収容部９１を貫通する通孔９３を有してもよい。例えば通孔９３は、ハウジング９の側面にあってもよい。また、上記の実施形態では通孔９３は電磁石側空間８０を介して第１空間８１及び第２空間８２に通じているが、通孔９３は第１空間８１又は第２空間８２に直接通じていてもよい。
【００９１】
上記の実施形態ではハウジング９は１つの収容部９１と１つの閉塞部９２との組み合わせであるが、ハウジング９は３つ以上の部材の組み合わせでもよい。例えば、上記の実施形態における収容部９１が、下方に開口する箱状の部材と、この部材に取り付けられた筒状の部材との組み合わせであってもよい。
【００９２】
本開示に係る電磁継電器ユニット１は、特に電磁継電器ユニット１に大電流が流される場合に、接点に生じるジュール熱が放出されやすくなる作用が、顕著に現れる。ただし、本開示に係る電磁継電器ユニット１の用途は、大電流が流されることに限られない。電磁継電器ユニット１に流される電流の値にかかわらず、本開示では、接点に生じるジュール熱が放出されやすくなるという作用が得られる。
【００９３】
本開示は、上記の実施形態及び変形例だけでなく、上記の実施形態及び変形例の組合せも含む。
【００９４】
電磁継電器ユニット１及び電磁継電器システム１０の用途は、電動車両に設けられることに限られない。電磁継電器ユニット１及び電磁継電器システム１０がいかなる装置又は設備等に設けられる場合であっても、１つの電磁継電器ユニット１で２つの接点の開閉を行うことができ、かつ各接点に生じるジュール熱が電磁継電器ユニット１から効率よく放出されうる。
【００９５】
以上、説明した実施形態及び変形例から明らかなように、本開示の第１の態様に係る電磁継電器ユニット（１）は、第１接点装置（２０１）と、第２接点装置（２０２）と、電磁石装置（５）と、ハウジング（９）と、第１空間（８１）と、第２空間（８２）と、熱伝導部材（６）とを備える。第１接点装置（２０１）と第２接点装置（２０２）との各々は、固定端子（２１）と、可動接触子（２４）と、可動部（３）と、接点収容部（４）とを備える。固定端子（２１）は、固定接点（２２）を有する。可動接触子（２４）は、可動接点（２５）を有する。可動部（３）は、可動接触子（２４）を、固定接点（２２）が可動接点（２５）と接触しない非接触位置と固定接点（２２）が可動接点（２５）と接触する接触位置との間で、固定端子（２１）に対して移動させる。接点収容部（４）は、固定端子（２１）の固定接点（２２）と可動接点（２５）とを収容する。電磁石装置（５）は、可動部（３）を駆動させる。ハウジング（９）は、第１接点装置（２０１）の接点収容部（４）と第２接点装置（２０２）の接点収容部（４）とを収容する。第１空間（８１）は、ハウジング（９）の内面と第１接点装置（２０１）の接点収容部（４）との間にある。第２空間（８２）は、ハウジング（９）の内面と第２接点装置（２０２）の接点収容部（４）との間にある。熱伝導部材（６）は、第１空間（８１）と第２空間（８２）とに配置されている。
【００９６】
第１の態様によると、１つの電磁継電器ユニット（１）において第１接点装置（２０１）と、第２接点装置（２０２）との各々が接点の開閉を行うことができる。さらに、第１接点装置（２０１）と第２接点装置（２０２）の各々における接点で発生したジュール熱が接点収容部（４）から熱伝導部材（６）及びハウジング（９）を通じて電磁継電器ユニット（１）の外部へ放出されやすい。
【００９７】
第２の態様に係る電磁継電器ユニット（１）は、第１の態様において、第１接点装置（２０１）の可動接触子（２４）が接触位置にあるときには、第２接点装置（２０２）の可動接触子（２４）は非接触位置にあり、第２接点装置（２０２）の可動接触子（２４）が接触位置にあるときには、第１接点装置（２０１）の可動接触子（２４）は非接触位置にある。
【００９８】
第２の態様によると、熱伝導部材（６）は、第１接点装置（２０１）の接点に生じたジュール熱を伝達するときには、第２接点装置（２０２）の接点にジュール熱が生じないため、第１接点装置（２０１）の接点に生じたジュール熱を効率良く伝達できる。同様に、熱伝導部材（６）は、第２接点装置（２０２）の接点に生じたジュール熱を伝達するときには、第１接点装置（２０１）の接点にジュール熱が生じないため、第２接点装置（２０２）の接点に生じたジュール熱を効率良く伝達できる。
【００９９】
第３の態様に係る電磁継電器ユニット（１）は、第１又は第２の態様において、第１接点装置（２０１）は、電源と充電池との間の電路に接続され、第２接点装置（２０２）は、充電池と電動機との間の電路に接続されている。
【０１００】
第３の態様によると、電源と充電池との間の電路と、充電池と電動機との間の電路という、異なる２つの電路において、接点の開閉を、１つの電磁継電器ユニット（１）で行うことができる。また、この２つの電路において、接点を同時に閉じなくてもよいため、２つの接点で同時にジュール熱が発生しないようにでき、そのためジュール熱を電磁継電器ユニット（１）から特に効率良く放出できる。
【０１０１】
第４の態様に係る電磁継電器ユニット（１）では、第１から第３のいずれか一の態様において、第１空間（８１）と第２空間（８２）とは通じており、熱伝導部材（６）は、第１空間（８１）に配置される第１部分（６１）と、第２空間（８２）に配置されている、第１部分（６１）と連続的につながった第２部分（６２）とを有する。
【０１０２】
第４の態様によると、第１接点装置（２０１）における接点に生じたジュール熱が第１部分（６１）だけでなく第２部分（６２）も通じてハウジング（９）に伝達されうる。同様に、第２接点装置（２０２）における接点に生じたジュール熱が第２部分（６２）だけでなく第１部分（６１）も通じてハウジング（９）に伝達されうる。このため、接点に生じたジュール熱が特に放出されやすい。
【０１０３】
第５の態様に係る電磁継電器ユニット（１）では、第１から第４のいずれか一の態様において、ハウジング（９）は、第１接点装置（２０１）の接点収容部（４）と、第２接点装置（２０２）の接点収容部（４）と、電磁石装置（５）とを収容し、電磁継電器ユニット（１）は、ハウジング（９）と電磁石装置（５）との間にある電磁石側空間（８０）を更に備え、熱伝導部材（６）は、第１空間（８１）と、第２空間（８２）と、電磁石側空間（８０）にも配置されている。
【０１０４】
第５の態様によると、電磁石装置（５）で発生する熱が、熱伝導部材（６）及びハウジング（９）を通じて電磁継電器ユニット（１）の外部へ放出されやすい。
【０１０５】
第６の態様に係る電磁継電器ユニット（１）では、第１から第５のいずれか一の態様において、熱伝導部材（６）は、樹脂製である。
【０１０６】
第６の態様によると、熱伝導部材（６）が第１空間（８１）及び第２空間（８２）内で成形されやすい。
【０１０７】
第７の態様に係る電磁継電器ユニット（１）は、第１から第６のいずれか一の態様において、シール材（７）を更に備え、ハウジング（９）は、第１接点装置（２０１）及び第２接点装置（２０２）の各々の固定端子（２１）を外部に露出させ、シール材（７）は、ハウジング（９）と固定端子（２１）との間で第１空間（８１）及び第２空間（８２）をハウジング（９）の外部から遮蔽する。
【０１０８】
第７の態様によると、シール材（７）は、ハウジング（９）が固定端子（２１）をハウジング（９）の外部に露出させるにもかかわらず、ハウジング（９）と固定端子（２１）との間の気密を確保できる。
【０１０９】
第８の態様に係る電磁継電器ユニット（１）は、第１から第７のいずれか一の態様において、ハウジング（９）は、ハウジング（９）の外部と第１空間（８１）及び第２空間（８２）とを通じさせる通孔（９３）を有する。
【０１１０】
第８の態様によると、通孔（９３）を通してハウジング（９）の外部から第１空間（８１）及び第２空間（８２）へ熱伝導部材（６）の原料を入れてから第１空間（８１）及び第２空間（８２）内で熱伝導部材（６）を作製することができ、このため熱伝導部材（６）を作製しやすい。このため、熱伝導部材（６）を有する電磁継電器ユニット（１）を実現しやすい。
【０１１１】
第９の態様に係る電磁継電器ユニット（１）は、第８の態様において、シール材（７）を更に備え、ハウジング（９）は、第１接点装置（２０１）及び第２接点装置（２０２）の各々の固定端子（２１）を外部に露出させる露出開口（９５）を、ハウジング（９）における通孔（９３）とは反対側の端部に有し、シール材（７）は、露出開口（９５）を介してハウジング（９）の外部に通じないように、第１空間（８１）及び第２空間（８２）をハウジング（９）の外部から遮蔽する。
【０１１２】
第９の態様によると、露出開口（９５）で固定端子（２１）を外部に露出させることができる。さらに、熱伝導部材（６）の作製時には、露出開口（９５）を下方に、通孔（９３）を上方に向けて、通孔（９３）からハウジング（９）内に熱伝導部材（６）の原料を入れることで、原料を第１空間（８１）及び第２空間（８２）に供給しやすくなる。さらに、露出開口（９５）における熱伝導部材（６）の原料の漏出をシール材（７）によって生じにくくできる。
【０１１３】
第１０の態様に係る電磁継電器ユニット（１）では、第８又は第９の態様において、ハウジング（９）は、通孔（９３）を複数有する。
【０１１４】
第１０の態様によると、熱伝導部材（６）の作製時には、複数の通孔（９３）のうち、いずれかの通孔（９３）を利用してハウジング（９）内に熱伝導部材（６）の原料を入れることができる。さらに、残りの通孔（９３）を利用してハウジング（９）内のガスの排出を促進してハウジング（９）内への原料の流入を促進できる。
【０１１５】
第１１の態様に係る電磁継電器ユニット（１）では、第１から第１０のいずれか一の態様において、ハウジング（９）は、開口（９４）を有し、第１接点装置（２０１）及び第２接点装置（２０２）の各々の接点収容部（４）と電磁石装置（５）とを収容する収容部（９１）と、開口（９４）の少なくとも一部を閉塞するように収容部（９１）に取り付けられた閉塞部（９２）とを有する。
【０１１６】
第１１の態様によると、熱伝導部材（６）の作製時には、開口（９４）から収容部（９１）内に接点収容部（４）と電磁石装置（５）とを収容してから、ハウジング（９）内に熱伝導部材（６）を配置することができる。
【０１１７】
第１２の態様に係る電磁継電器ユニット（１）では、第１１の態様において、開口（９４）は、電磁石装置（５）に対し第１接点装置（２０１）及び第２接点装置（２０２）の各々の接点収容部（４）とは反対側の位置にあり、電磁石装置（５）と接点収容部（４）とは開口（９４）の開口面と直交する方向に沿って並んでいる。
【０１１８】
第１３の態様に係る電磁継電器ユニット（１）では、第１１又は第１２の態様において、ハウジング（９）は、閉塞部（９２）を貫通し、ハウジング（９）の外部と第１空間（８１）及び第２空間（８２）とを通じさせる通孔（９３）を有する。
【０１１９】
第１３の態様によると、収容部（９１）の開口（９４）を閉塞部（９２）で閉塞してから、通孔（９３）を利用して熱伝導部材（６）の原料をハウジング（９）内に入れることができる。
【０１２０】
第１４の態様に係る電磁継電器ユニットでは、第１から第１３のいずれか一の態様において、第１接点装置（２０１）及び第２接点装置（２０２）の各々で、固定端子（２１）は、第１固定端子（２１１）と第２固定端子（２１２）とを含む。固定接点（２２）は、第１固定端子（２１１）の有する第１固定接点（２２１）と、第２固定端子（２１２）の有する第２固定接点（２２２）とを含む。可動接点（２５）は、第１可動接点（２５１）と第２可動接点（２５２）とを含む。非接触位置では第１固定接点（２２１）と第２固定接点（２２２）との各々が第１可動接点（２５１）と第２可動接点（２５２）とにそれぞれ接触せず、接触位置では第１固定接点（２２１）と第２固定接点（２２２）とが第１可動接点（２５１）と第２可動接点（２５２）とにそれぞれ接触する。可動部（３）は、可動接触子（２４）を、非接触位置と接触位置との間で、固定端子（２１）に対して一方向に移動させる。
【０１２１】
第１５の態様に係る電磁継電器システム（１０）は、第１から第１４のいずれか一の態様に係る電磁継電器ユニット（１）と、電磁石装置（５）を制御する制御部（１１）とを備える。
【０１２２】
第１５の態様によると、制御部（１１）による制御に従い、１つの電磁継電器ユニット（１）において第１接点装置（２０１）と、第２接点装置（２０２）との各々が接点の開閉を行うことができる。さらに、第１接点装置（２０１）と第２接点装置（２０２）の各々における接点で発生したジュール熱が接点収容部（４）から熱伝導部材（６）及びハウジング（９）を通じて電磁継電器ユニット（１）の外部へ放出されやすい。
【符号の説明】
【０１２３】
１      電磁継電器ユニット
１０    電磁継電器システム
１１    制御部
２０１  第１接点装置
２０２  第２接点装置
２１    固定端子
２１１  第１固定端子
２１２  第２固定端子
２２    固定接点
２２１  第１固定接点
２２２  第２固定接点
２４    可動接触子
２５    可動接点
２５１  第１可動接点
２５２  第２可動接点
３      可動部
４      接点収容部
５      電磁石装置
６      熱伝導部材
６１    第１部分
６２    第２部分
７      シール材
８１    第１空間
８２    第２空間
８０    電磁石側空間
９      ハウジング
９１    収容部
９２    閉塞部
９３    通孔
９４    開口
９５    露出開口
【図１】
2020119741.tif 000003
【図２】
2020119741.tif 000004
【図３】
2020119741.tif 000005
【図４】
2020119741.tif 000006
【図５】
2020119741.tif 000007
【図６】
2020119741.tif 000008
【図７】
2020119741.tif 000009